(57)【要約】【課題】ユーザの動作が制限されることを回避しながら、複数のユーザがヘッドフォン装置からの音を聴くことが可能な音出力システムを提供すること。【解決手段】音出力システム１０００は、音を表す音情報を無線により送信する音情報送信装置と、上記音情報が表す音を出力する、複数のヘッドフォン装置と、を備える。音出力システム１０００は、上記音情報送信装置と、上記複数のヘッドフォン装置のうちの少なくとも１つのヘッドフォン装置と、を無線通信可能に接続する無線接続部１００１と、上記音情報送信装置が、当該音情報送信装置に上記接続されたヘッドフォン装置へ無線により上記音情報を送信することにより、上記複数のヘッドフォン装置のそれぞれへ当該音情報を伝送する音情報伝送部１００２と、上記複数のヘッドフォン装置のそれぞれが、上記伝送された音情報が表す音を出力する音出力部１００３と、を備える。【選択図】図１４
2014007463.tif 000002
【特許請求の範囲】
【請求項１】
音を出力する音出力システムであって、
音を表す音情報を無線により送信する音情報送信装置と、
前記音情報が表す音を出力する、複数のヘッドフォン装置と、
を備えるとともに、
前記音情報送信装置と、前記複数のヘッドフォン装置のうちの少なくとも１つのヘッドフォン装置と、を無線通信可能に接続する無線接続手段と、
前記音情報送信装置が、当該音情報送信装置に前記接続されたヘッドフォン装置へ無線により前記音情報を送信することにより、前記複数のヘッドフォン装置のそれぞれへ当該音情報を伝送する音情報伝送手段と、
前記複数のヘッドフォン装置のそれぞれが、前記伝送された音情報が表す音を出力する音出力手段と、
を備える音出力システム。
【請求項２】
請求項１に記載の音出力システムであって、
前記複数のヘッドフォン装置は、第１のヘッドフォン装置と第２のヘッドフォン装置とを含み、
前記無線接続手段は、前記音情報送信装置と前記第１のヘッドフォン装置とを無線通信可能に接続するとともに、前記第１のヘッドフォン装置と前記第２のヘッドフォン装置とを無線通信可能に接続するように構成され、
前記音情報伝送手段は、前記音情報送信装置が、当該音情報送信装置に前記接続された第１のヘッドフォン装置へ無線により前記音情報を送信するとともに、当該第１のヘッドフォン装置が、当該第１のヘッドフォン装置に前記接続された第２のヘッドフォン装置へ無線により当該音情報を送信することにより、前記複数のヘッドフォン装置のそれぞれへ当該音情報を伝送するように構成された音出力システム。
【請求項３】
請求項１に記載の音出力システムであって、
前記複数のヘッドフォン装置は、第１のヘッドフォン装置と第２のヘッドフォン装置とを含み、
前記第１のヘッドフォン装置と前記第２のヘッドフォン装置とは、ケーブルにより通信可能に接続され、
前記無線接続手段は、前記音情報送信装置と前記第１のヘッドフォン装置とを無線通信可能に接続するように構成され、
前記音情報伝送手段は、前記音情報送信装置が、当該音情報送信装置に前記接続された第１のヘッドフォン装置へ無線により前記音情報を送信するとともに、当該第１のヘッドフォン装置が、当該第１のヘッドフォン装置に前記接続された第２のヘッドフォン装置へ前記ケーブルを介して当該音情報を送信することにより、前記複数のヘッドフォン装置のそれぞれへ当該音情報を伝送するように構成された音出力システム。
【請求項４】
請求項１に記載の音出力システムであって、
前記複数のヘッドフォン装置は、第１のヘッドフォン装置と第２のヘッドフォン装置とを含み、
前記無線接続手段は、前記音情報送信装置と前記第１のヘッドフォン装置とを無線通信可能に接続するとともに、前記音情報送信装置と前記第２のヘッドフォン装置とを無線通信可能に接続するように構成され、
前記音情報伝送手段は、前記音情報送信装置が、当該音情報送信装置に前記接続された第１のヘッドフォン装置へ無線により前記音情報を送信するとともに、当該音情報送信装置が、当該音情報送信装置に前記接続された第２のヘッドフォン装置へ無線により当該音情報を送信することにより、前記複数のヘッドフォン装置のそれぞれへ当該音情報を伝送するように構成された音出力システム。
【請求項５】
請求項１乃至請求項４のいずれかに記載の音出力システムであって、
前記複数のヘッドフォン装置が同時に同じ音を出力するように、前記音情報送信装置に前記接続されたヘッドフォン装置が前記音情報を受信してから、当該ヘッドフォン装置が、当該音情報が表す音を出力するまでの出力遅延時間を調整する出力遅延時間調整手段を備える音出力システム。
【請求項６】
請求項１乃至請求項５のいずれかに記載の音出力システムであって、
前記複数のヘッドフォン装置が同時に同じ音を出力するように、前記音情報送信装置に前記接続されたヘッドフォン装置が前記音情報を受信してから、当該ヘッドフォン装置が、当該音情報を他のヘッドフォン装置へ送信するまでの送信遅延時間を調整する送信遅延時間調整手段を備える音出力システム。
【請求項７】
音を出力する音出力方法であって、
音を表す音情報を無線により送信する音情報送信装置と、
前記音情報が表す音を出力する、複数のヘッドフォン装置と、
を備える音出力システムに適用され、
前記音情報送信装置と、前記複数のヘッドフォン装置のうちの少なくとも１つのヘッドフォン装置と、を無線通信可能に接続し、
前記音情報送信装置が、当該音情報送信装置に前記接続されたヘッドフォン装置へ無線により前記音情報を送信することにより、前記複数のヘッドフォン装置のそれぞれへ当該音情報を伝送し、
前記複数のヘッドフォン装置のそれぞれが、前記伝送された音情報が表す音を出力する、音出力方法。
【請求項８】
音を表す音情報を無線により送信する音情報送信装置であって、
前記音情報が表す音を出力する第１のヘッドフォン装置を無線通信可能に接続するとともに、当該音情報が表す音を出力する第２のヘッドフォン装置を無線通信可能に接続する無線接続手段と、
前記接続された第１のヘッドフォン装置へ無線により前記音情報を送信する第１の音情報送信手段と、
前記接続された第２のヘッドフォン装置へ無線により前記音情報を送信する第２の音情報送信手段と、
を備える音情報送信装置。
【請求項９】
音を出力するヘッドフォン装置であって、
音を表す音情報を無線により送信する音情報送信装置を無線通信可能に接続するとともに、他のヘッドフォン装置を無線通信可能に接続する無線接続手段と、
前記接続された音情報送信装置から無線により送信された前記音情報を受信する音情報受信手段と、
前記受信された音情報が表す音を出力する音出力手段と、
前記受信された音情報を、前記接続された他のヘッドフォン装置へ無線により送信する音情報送信手段と、
を備えるヘッドフォン装置。
【請求項１０】
音を出力するヘッドフォン装置であって、
他のヘッドフォン装置とケーブルにより通信可能に接続され、
音を表す音情報を無線により送信する音情報送信装置を無線通信可能に接続する無線接続手段と、
前記接続された音情報送信装置から無線により送信された前記音情報を受信する音情報受信手段と、
前記受信された音情報が表す音を出力する音出力手段と、
前記受信された音情報を、前記接続された他のヘッドフォン装置へ前記ケーブルを介して送信する音情報送信手段と、
を備えるヘッドフォン装置。
【発明の詳細な説明】
【技術分野】
【０００１】
本発明は、音を出力するヘッドフォン装置を備える音出力システムに関する。
【背景技術】
【０００２】
音を出力するヘッドフォン装置を備える音出力システムが知られている。この種の音出力システムの一つとして、特許文献１に記載の音出力システムは、２つのヘッドフォン装置と、ケーブルと、を備える。ケーブルの一端は、音を表す音情報を出力する音情報出力装置に接続されている。ケーブルの他端は、２つに分岐している。ケーブルの、２つの他端のそれぞれには、ヘッドフォン装置が連結されている。
【０００３】
この音出力システムによれば、音情報出力装置により出力された音情報は、ケーブルを介して、２つのヘッドフォン装置のそれぞれに入力される。そして、２つのヘッドフォン装置のそれぞれは、入力した音情報が表す音を出力する。従って、音情報出力装置により出力された音情報が表す音を、２人のユーザが同時に聴くことができる。
【０００４】
また、特許文献２に記載の音出力システムは、複数のヘッドフォン装置を備える。各ヘッドフォン装置は、プラグを有するケーブルと、他のヘッドフォン装置が備えるプラグが接続可能なジャック部と、を備える。この音出力システムは、第１のヘッドフォン装置が備えるプラグが音情報出力装置に接続され、第２のヘッドフォン装置が備えるプラグが、第１のヘッドフォン装置が備えるジャック部に接続される。
【０００５】
この音出力システムによれば、音情報出力装置により出力された音情報は、第１のヘッドフォン装置が備えるケーブルを介して、第１のヘッドフォン装置に入力される。更に、この音情報は、第２のヘッドフォン装置が備えるケーブルを介して、第２のヘッドフォン装置に入力される。そして、複数のヘッドフォン装置のそれぞれは、入力した音情報が表す音を出力する。従って、音情報出力装置により出力された音情報が表す音を、複数のユーザが同時に聴くことができる。
【先行技術文献】
【特許文献】
【０００６】
【特許文献１】特開２００７−９７００６号公報
【特許文献２】登録実用新案第３０４５４１８号公報
【発明の概要】
【発明が解決しようとする課題】
【０００７】
ところで、上述した音出力システムにおいては、音情報出力装置とヘッドフォン装置とがケーブルにより接続されている。従って、ヘッドフォン装置を装着したユーザと、音情報出力装置と、の間の距離が、ケーブルによって制限される。その結果、例えば、複数のユーザが、ヘッドフォン装置からの音に合わせた動作を行う（踊る、又は、ゲームを行う等）際、ユーザが自由に動作できない虞があった。また、ユーザにとってケーブルが邪魔になることもあった。即ち、ユーザの動作が制限されてしまう、という問題があった。
【０００８】
このため、本発明の目的は、上述した課題である「複数のユーザがヘッドフォン装置からの音を聴くとき、ユーザの動作が制限されてしまう場合が生じること」を解決することが可能な音出力システムを提供することにある。
【課題を解決するための手段】
【０００９】
かかる目的を達成するため本発明の一形態である音出力システムは、音を出力するシステムである。
更に、この音出力システムは、
音を表す音情報を無線により送信する音情報送信装置と、
上記音情報が表す音を出力する、複数のヘッドフォン装置と、
を備えるとともに、
上記音情報送信装置と、上記複数のヘッドフォン装置のうちの少なくとも１つのヘッドフォン装置と、を無線通信可能に接続する無線接続手段と、
上記音情報送信装置が、当該音情報送信装置に上記接続されたヘッドフォン装置へ無線により上記音情報を送信することにより、上記複数のヘッドフォン装置のそれぞれへ当該音情報を伝送する音情報伝送手段と、
上記複数のヘッドフォン装置のそれぞれが、上記伝送された音情報が表す音を出力する音出力手段と、
を備える。
【００１０】
また、本発明の他の形態である音出力方法は、音を出力する方法である。
更に、この音出力方法は、
音を表す音情報を無線により送信する音情報送信装置と、
上記音情報が表す音を出力する、複数のヘッドフォン装置と、
を備える音出力システムに適用され、
上記音情報送信装置と、上記複数のヘッドフォン装置のうちの少なくとも１つのヘッドフォン装置と、を無線通信可能に接続し、
上記音情報送信装置が、当該音情報送信装置に上記接続されたヘッドフォン装置へ無線により上記音情報を送信することにより、上記複数のヘッドフォン装置のそれぞれへ当該音情報を伝送し、
上記複数のヘッドフォン装置のそれぞれが、上記伝送された音情報が表す音を出力する方法である。
【００１１】
また、本発明の他の形態である音情報送信装置は、音を表す音情報を無線により送信する装置である。
更に、この音情報送信装置は、
上記音情報が表す音を出力する第１のヘッドフォン装置を無線通信可能に接続するとともに、当該音情報が表す音を出力する第２のヘッドフォン装置を無線通信可能に接続する無線接続手段と、
上記接続された第１のヘッドフォン装置へ無線により上記音情報を送信する第１の音情報送信手段と、
上記接続された第２のヘッドフォン装置へ無線により上記音情報を送信する第２の音情報送信手段と、
を備える。
【００１２】
また、本発明の他の形態である音情報送信装置制御方法は、
音を表す音情報を無線により送信する音情報送信装置に適用され、
上記音情報が表す音を出力する第１のヘッドフォン装置を無線通信可能に接続するとともに、当該音情報が表す音を出力する第２のヘッドフォン装置を無線通信可能に接続し、
上記接続された第１のヘッドフォン装置へ無線により上記音情報を送信し、
上記接続された第２のヘッドフォン装置へ無線により上記音情報を送信する方法である。
【００１３】
また、本発明の他の形態である音情報送信装置制御プログラムは、
音を表す音情報を無線により送信する音情報送信装置に、
上記音情報が表す音を出力する第１のヘッドフォン装置を無線通信可能に接続するとともに、当該音情報が表す音を出力する第２のヘッドフォン装置を無線通信可能に接続し、
上記接続された第１のヘッドフォン装置へ無線により上記音情報を送信し、
上記接続された第２のヘッドフォン装置へ無線により上記音情報を送信する、処理を実行させるためのプログラムである。
【００１４】
また、本発明の他の形態であるヘッドフォン装置は、音を出力する装置である。
更に、このヘッドフォン装置は、
音を表す音情報を無線により送信する音情報送信装置を無線通信可能に接続するとともに、他のヘッドフォン装置を無線通信可能に接続する無線接続手段と、
上記接続された音情報送信装置から無線により送信された上記音情報を受信する音情報受信手段と、
上記受信された音情報が表す音を出力する音出力手段と、
上記受信された音情報を、上記接続された他のヘッドフォン装置へ無線により送信する音情報送信手段と、
を備える。
【００１５】
また、本発明の他の形態であるヘッドフォン装置は、音を出力する装置である。
更に、このヘッドフォン装置は、
他のヘッドフォン装置とケーブルにより通信可能に接続され、
音を表す音情報を無線により送信する音情報送信装置を無線通信可能に接続する無線接続手段と、
上記接続された音情報送信装置から無線により送信された上記音情報を受信する音情報受信手段と、
上記受信された音情報が表す音を出力する音出力手段と、
上記受信された音情報を、上記接続された他のヘッドフォン装置へ上記ケーブルを介して送信する音情報送信手段と、
を備える。
【００１６】
また、本発明の他の形態であるヘッドフォン装置制御方法は、音を出力するヘッドフォン装置に適用される方法である。
更に、このヘッドフォン装置制御方法は、
音を表す音情報を無線により送信する音情報送信装置を無線通信可能に接続するとともに、他のヘッドフォン装置を無線通信可能に接続し、
上記接続された音情報送信装置から無線により送信された上記音情報を受信し、
上記受信された音情報が表す音を出力し、
上記受信された音情報を、上記接続された他のヘッドフォン装置へ無線により送信する方法である。
【００１７】
また、本発明の他の形態であるヘッドフォン装置制御方法は、音を出力するヘッドフォン装置に適用される方法である。
更に、このヘッドフォン装置制御方法は、
音を表す音情報を無線により送信する音情報送信装置を無線通信可能に接続し、
上記接続された音情報送信装置から無線により送信された上記音情報を受信し、
上記受信された音情報が表す音を出力し、
上記受信された音情報を、ケーブルにより通信可能に接続された他のヘッドフォン装置へ当該ケーブルを介して送信する方法である。
【００１８】
また、本発明の他の形態であるヘッドフォン装置制御プログラムは、
音を出力するヘッドフォン装置に、
音を表す音情報を無線により送信する音情報送信装置を無線通信可能に接続するとともに、他のヘッドフォン装置を無線通信可能に接続し、
上記接続された音情報送信装置から無線により送信された上記音情報を受信し、
上記受信された音情報が表す音を出力し、
上記受信された音情報を、上記接続された他のヘッドフォン装置へ無線により送信する、処理を実行させるためのプログラムである。
【００１９】
また、本発明の他の形態であるヘッドフォン装置制御プログラムは、
音を出力するヘッドフォン装置に、
音を表す音情報を無線により送信する音情報送信装置を無線通信可能に接続し、
上記接続された音情報送信装置から無線により送信された上記音情報を受信し、
上記受信された音情報が表す音を出力し、
上記受信された音情報を、ケーブルにより通信可能に接続された他のヘッドフォン装置へ当該ケーブルを介して送信する、処理を実行させるためのプログラムである。
【発明の効果】
【００２０】
本発明は、以上のように構成されることにより、ユーザの動作が制限されることを回避しながら、複数のユーザがヘッドフォン装置からの音を聴くことができる。
【図面の簡単な説明】
【００２１】
【図１】本発明の第１実施形態に係る音出力システムの概略構成を表す図である。
【図２】本発明の第１実施形態に係る携帯端末の構成を表すブロック図である。
【図３】本発明の第１実施形態に係る第１のイヤフォン装置の構成を表すブロック図である。
【図４】本発明の第１実施形態に係るユーザインタフェース部の構成を表すブロック図である。
【図５】本発明の第１実施形態に係る第２のイヤフォン装置の構成を表すブロック図である。
【図６】本発明の第１実施形態に係る第１のイヤフォン装置が実行する受信処理を示したフローチャートである。
【図７】本発明の第１実施形態に係る第１のイヤフォン装置が実行する送信処理を示したフローチャートである。
【図８】本発明の第１実施形態に係る第１のイヤフォン装置が実行する設定処理を示したフローチャートである。
【図９】本発明の第２実施形態に係る音出力システムの概略構成を表す図である。
【図１０】本発明の第２実施形態に係る第１のイヤフォン装置の構成を表すブロック図である。
【図１１】本発明の第３実施形態に係る音出力システムの概略構成を表す図である。
【図１２】本発明の第３実施形態に係る送信装置の構成を表すブロック図である。
【図１３】本発明の第３実施形態に係る第１のイヤフォン装置の構成を表すブロック図である。
【図１４】本発明の第４実施形態に係る音出力システムの構成を表すブロック図である。
【発明を実施するための形態】
【００２２】
以下、本発明に係る、音出力システム、音出力方法、音情報送信装置、音情報送信装置制御方法、音情報送信装置制御プログラム、ヘッドフォン装置、ヘッドフォン装置制御方法、及び、ヘッドフォン装置制御プログラム、の各実施形態について図１〜図１４を参照しながら説明する。
【００２３】
＜第１実施形態＞
（構成）
図１に示したように、第１実施形態に係る音出力システム１は、携帯端末１０と、第１のイヤフォン装置２０と、第２のイヤフォン装置３０と、を備える。なお、音出力システム１は、３つ以上のイヤフォン装置を備えていてもよい。
【００２４】
携帯端末１０は、音を表す音情報を無線により送信する装置である。即ち、携帯端末１０は、音情報送信装置を構成している。本例では、携帯端末１０は、携帯電話端末である。携帯端末１０は、通話中の音声、又は、再生中の音楽等の音を表す音情報を生成し、生成した音情報を送信するように構成される。
【００２５】
なお、携帯端末１０は、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔ）、スマートフォン、カーナビゲーション端末、パーソナル・コンピュータ、又は、ゲーム端末等であってもよい。また、本例では、音情報送信装置は、携帯型の装置であるが、据置型の装置であってもよい。
【００２６】
第１のイヤフォン装置２０は、音情報が表す音（音声、又は、音楽等）を出力（再生）する装置である。即ち、第１のイヤフォン装置２０は、ヘッドフォン装置を構成している。なお、ヘッドフォン装置は、ステレオフォン装置、又は、ヘッドセット装置等であってもよい。
【００２７】
第１のイヤフォン装置２０は、携帯端末１０により送信された音情報を受信し、受信した音情報が表す音を出力するように構成される。更に、第１のイヤフォン装置２０は、受信した音情報を第２のイヤフォン装置３０へ送信するように構成される。
【００２８】
第２のイヤフォン装置３０は、第１のイヤフォン装置２０と同様に、音情報が表す音を出力する装置である。即ち、第２のイヤフォン装置３０は、ヘッドフォン装置を構成している。
【００２９】
第２のイヤフォン装置３０は、第１のイヤフォン装置２０により送信された音情報を受信し、受信した音情報が表す音を出力するように構成される。
【００３０】
次に、携帯端末１０の構成について、より具体的に説明する。
図２に示したように、携帯端末１０は、第１の無線通信部１１と、制御部１２と、表示部１３と、入力部１４と、記憶部１５と、音声入力部１６と、音声出力部１７と、第２の無線通信部１８と、スピーカ部１７１と、ジャック部１７２と、を備える。
【００３１】
第１の無線通信部１１は、携帯電話網、及び、公衆無線ＬＡＮ（Ｌｏｃａｌ  Ａｒｅａ  Ｎｅｔｗｏｒｋ）網等の無線通信網に接続される。
制御部１２は、携帯端末１０の各部を制御する。更に、制御部１２は、音楽を再生し、再生した音楽を表す音情報を生成する。
【００３２】
表示部１３は、ディスプレイ等を備え、情報（例えば、携帯端末１０の状態を表す情報、及び、アプリケーション機能によって生成される情報等）を表示する。
【００３３】
入力部１４は、キー式ボタン、及び／又は、タッチ式パネル等を備え、ユーザによる操作を検出することによって、当該操作に対応する情報が入力される。
記憶部１５は、ＲＡＭ（Ｒａｎｄｏｍ  Ａｃｃｅｓｓ  Ｍｅｍｏｒｙ）等を備え、情報を読み書き可能に記憶する。なお、記憶部１５は、ＲＯＭ（Ｒｅａｄ  Ｏｎｌｙ  Ｍｅｍｏｒｙ）を備えていてもよい。
【００３４】
音声入力部１６は、マイクロフォン等を備え、周囲の音を集音する。音声入力部１６は、集音された音を表す音情報を生成する。
音声出力部１７は、音情報を、デジタル信号からアナログ信号に変換し、変換後の音情報を、スピーカ部１７１、及び／又は、ジャック部１７２へ出力する。音声出力部１７は、音情報の出力先が、制御部１２によって変更可能に構成される。
【００３５】
第２の無線通信部１８は、予め定められた通信方式（本例では、Ｂｌｕｅｔｏｏｔｈ（登録商標））に従って、自装置と他の装置（本例では、第１のイヤフォン装置２０）とを無線通信可能に接続する。なお、第２の無線通信部１８は、Ｂｌｕｅｔｏｏｔｈ以外の通信方式を用いるように構成されていてもよい。通信方式は、音を表す音情報を送信するために必要とされる通信帯域以上の通信帯域を確保可能な通信方式であることが好適である。
【００３６】
更に、第２の無線通信部１８は、予め設定された通信プロファイルに従って、音情報（例えば、音声入力部１６により集音された音声を表す音情報）を、無線通信可能に接続された装置（本例では、第１のイヤフォン装置２０）へ無線により送信する。
【００３７】
次に、第１のイヤフォン装置２０の構成について、より具体的に説明する。
図３に示したように、第１のイヤフォン装置２０は、第１の無線通信部２１と、制御部２２と、表示部２３と、入力部２４と、記憶部２５と、音声出力部２７と、第２の無線通信部２８と、ステレオイヤフォン部２７１と、を備える。
【００３８】
第１の無線通信部２１は、予め定められた通信方式（本例では、第２の無線通信部１８と同じ通信方式）に従って、自装置と他の装置（本例では、携帯端末１０）とを無線通信可能に接続する。
【００３９】
更に、第１の無線通信部２１は、無線通信可能に接続された装置（本例では、携帯端末１０）から無線により送信された音情報を受信する。
【００４０】
制御部２２は、第１のイヤフォン装置２０の各部を制御する。
更に、制御部２２は、予め設定された遅延量に基づいて、複数のヘッドフォン装置（本例では、第１のイヤフォン装置２０、及び、第２のイヤフォン装置３０）が同時に同じ音を出力するように、出力遅延時間、又は、送信遅延時間を調整する。
【００４１】
出力遅延時間は、第１のイヤフォン装置２０が携帯端末１０から音情報を受信してから、第１のイヤフォン装置２０が、当該音情報が表す音を出力するまでの時間である。また、送信遅延時間は、第１のイヤフォン装置２０が携帯端末１０から音情報を受信してから、第１のイヤフォン装置２０が、当該音情報を、他のヘッドフォン装置としての第２のイヤフォン装置３０へ送信するまでの時間である。
即ち、制御部２２は、出力遅延時間調整手段、及び、送信遅延時間調整手段を構成している。
【００４２】
表示部２３は、ディスプレイ、及び、ＬＥＤ（Ｌｉｇｈｔ  Ｅｍｉｔｔｉｎｇ  Ｄｉｏｄｅ）ランプ等を備え、情報（例えば、第１のイヤフォン装置２０の状態を表す情報、及び、アプリケーション機能によって生成される情報等）を表示する。
【００４３】
入力部２４は、キー式ボタン、及び／又は、タッチ式パネル等を備え、ユーザによる操作を検出することによって、当該操作に対応する情報が入力される。
【００４４】
より具体的に述べると、図４に示したように、第１のイヤフォン装置２０は、ユーザインタフェース部２００を備える。ユーザインタフェース部２００は、ディスプレイ２３１と、第１のＬＥＤランプ２３２と、第２のＬＥＤランプ２３３と、受信側ボタン２４１と、送信側ボタン２４２と、上方向ボタン２４３と、下方向ボタン２４４と、を備える。
【００４５】
ディスプレイ２３１、第１のＬＥＤランプ２３２、及び、第２のＬＥＤランプ２３３は、表示部２３を構成している。また、受信側ボタン２４１、送信側ボタン２４２、上方向ボタン２４３、及び、下方向ボタン２４４は、入力部２４を構成している。
【００４６】
ユーザインタフェース部２００は、自装置と、他の装置（本例では、携帯端末１０、又は、第２のイヤフォン装置３０）と、を無線通信可能に接続するための処理（本例では、ペアリングを行うための処理）を実行するために用いられる。更に、ユーザインタフェース部２００は、携帯端末１０へ、予め定められた制御信号（例えば、携帯端末１０が音楽を再生する際における、音量の変更、再生の開始、再生の停止、又は、楽曲の変更等を行うための信号）を送信するために用いられる。
【００４７】
なお、第１のＬＥＤランプ２３２は、受信側ボタン２４１と一体に構成されていてもよい。また、第２のＬＥＤランプ２３３は、送信側ボタン２４２と一体に構成されていてもよい。また、ディスプレイ２３１が、第１のＬＥＤランプ２３２及び第２のＬＥＤランプ２３３に相当する表示部を備えることにより、ユーザインタフェース部２００は、第１のＬＥＤランプ２３２及び第２のＬＥＤランプ２３３を備えていなくてもよい。
【００４８】
記憶部２５は、ＲＡＭ等を備え、情報を読み書き可能に記憶する。記憶部２５は、第１の無線通信部２１により受信された音情報を一時的に記憶する。
【００４９】
本例では、記憶部２５は、ＲＡＭ上に構成されたＦＩＦＯ（Ｆｉｒｓｔ  Ｉｎ  Ｆｉｒｓｔ  Ｏｕｔ）バッファに音情報を記憶する。なお、記憶部２５は、ＦＩＦＯバッファを構成する記憶領域において、ＦＩＦＯバッファの先頭としてのフロントアドレス、及び、ＦＩＦＯバッファの末尾（最後尾）としてのバックアドレスを、リング状に巡回するように、順次、移動させてもよい。
【００５０】
なお、ＦＩＦＯバッファを構成する記憶領域の容量（サイズ）は、出力前の音情報が上書きされないように、十分に大きな容量に設定されることが好適である。例えば、容量は、音情報の転送量、音情報を送受信するために要する遅延時間、及び、音情報を入出力するために要する遅延時間等に基づいて決定されることが好適である。
【００５１】
なお、第１のイヤフォン装置２０は、音情報の転送量、音情報を送受信するために要する遅延時間、及び、音情報を入出力するために要する遅延時間等に基づいて、音情報を受信する受信処理、及び、音情報を送信する送信処理に対する優先度（実行の優先順位）を調整するように構成されていてもよい。
【００５２】
また、第１のイヤフォン装置２０は、音情報の転送量、音情報を送受信するために要する遅延時間、及び、音情報を入出力するために要する遅延時間等に基づいて、第２のイヤフォン装置３０への音情報の送信の中断、又は、音情報の破棄等を行うように構成されていてもよい。
【００５３】
音声出力部２７は、記憶部２５に記憶されている音情報を、デジタル信号からアナログ信号に変換し、変換後の音情報をステレオイヤフォン部２７１へ出力する。
【００５４】
第２の無線通信部２８は、予め定められた通信方式（本例では、Ｂｌｕｅｔｏｏｔｈ（登録商標））に従って、自装置と他の装置（本例では、第２のイヤフォン装置３０）とを無線通信可能に接続する。なお、第２の無線通信部２８は、Ｂｌｕｅｔｏｏｔｈ以外の通信方式を用いるように構成されていてもよい。通信方式は、音を表す音情報を送信するために必要とされる通信帯域以上の通信帯域を確保可能な通信方式であることが好適である。
【００５５】
更に、第２の無線通信部２８は、予め設定された通信プロファイルに従って、音情報（本例では、記憶部２５に記憶されている音情報）を、無線通信可能に接続された装置（本例では、第２のイヤフォン装置３０）へ無線により送信する。
【００５６】
次に、第２のイヤフォン装置３０の構成について、より具体的に説明する。
図５に示したように、第２のイヤフォン装置３０は、第１の無線通信部３１と、制御部３２と、表示部３３と、入力部３４と、記憶部３５と、音声出力部３７と、ステレオイヤフォン部３７１と、を備える。
【００５７】
第１の無線通信部３１は、予め定められた通信方式（本例では、第２の無線通信部２８と同じ通信方式）に従って、自装置と他の装置（本例では、第１のイヤフォン装置２０）とを無線通信可能に接続する。
【００５８】
更に、第１の無線通信部３１は、無線通信可能に接続された装置（本例では、第１のイヤフォン装置２０）から無線により送信された音情報を受信する。
制御部３２は、第２のイヤフォン装置３０の各部を制御する。
【００５９】
表示部３３は、ディスプレイ、及び、ＬＥＤランプ等を備え、情報（例えば、第２のイヤフォン装置３０の状態を表す情報、及び、アプリケーション機能によって生成される情報等）を表示する。
【００６０】
入力部３４は、キー式ボタン、及び／又は、タッチ式パネル等を備え、ユーザによる操作を検出することによって、当該操作に対応する情報が入力される。
【００６１】
記憶部３５は、ＲＡＭ等を備え、情報を読み書き可能に記憶する。
音声出力部３７は、第１の無線通信部３１により受信された音情報を、デジタル信号からアナログ信号に変換し、変換後の音情報をステレオイヤフォン部３７１へ出力する。
【００６２】
このように、第２の無線通信部１８と第１の無線通信部２１とは、音情報送信装置としての携帯端末１０と、第１のイヤフォン装置２０と、を無線通信可能に接続する無線接続手段を構成している。更に、第２の無線通信部２８と第１の無線通信部３１とは、第１のイヤフォン装置２０と、第２のイヤフォン装置３０と、を無線通信可能に接続する無線接続手段を構成している。
【００６３】
また、第２の無線通信部１８と第１の無線通信部２１とは、音情報送信装置としての携帯端末１０が、携帯端末１０に接続された第１のイヤフォン装置２０へ無線により音情報を送信する音情報伝送手段を構成している。更に、第２の無線通信部２８と第１の無線通信部３１とは、第１のイヤフォン装置２０が、第１のイヤフォン装置２０に接続された第２のイヤフォン装置３０へ無線により音情報を送信する音情報伝送手段を構成している。このように、音情報伝送手段は、複数のヘッドフォン装置（本例では、第１のイヤフォン装置２０、及び、第２のイヤフォン装置３０）のそれぞれへ音情報を伝送している、と言うことができる。
【００６４】
また、第１の無線通信部２１は、第１のイヤフォン装置２０に接続された音情報送信装置としての携帯端末１０から無線により送信された音情報を受信する音情報受信手段を構成している。また、第２の無線通信部２８は、受信された音情報を、第１のイヤフォン装置２０に接続された他のヘッドフォン装置としての第２のイヤフォン装置３０へ無線により送信する音情報送信手段を構成している。
【００６５】
また、音声出力部２７、ステレオイヤフォン部２７１、音声出力部３７、及び、ステレオイヤフォン部３７１は、複数のヘッドフォン装置（本例では、第１のイヤフォン装置２０、及び、第２のイヤフォン装置３０）のそれぞれが、伝送された音情報が表す音を出力する音出力手段を構成している。
【００６６】
なお、第２のイヤフォン装置３０は、第１のイヤフォン装置２０と同様に、第２の無線通信部を備えていてもよい。
【００６７】
なお、各装置を構成する各回路部は、複数の回路部により構成されていてもよい。
また、第２のイヤフォン装置３０は、ユーザの操作に応じて、携帯端末１０を制御するための制御信号を第１のイヤフォン装置２０へ送信するように構成されていてもよい。
【００６８】
この場合、第１のイヤフォン装置２０は、第２のイヤフォン装置３０から受信した制御信号を携帯端末１０へ転送するように構成されていてもよい。また、第１のイヤフォン装置２０は、第２のイヤフォン装置３０から受信した制御信号を携帯端末１０へ転送しないように構成されていてもよい。
【００６９】
（作動）
次に、上述した音出力システム１の作動について説明する。
先ず、携帯端末１０と第１のイヤフォン装置２０とを、Ｂｌｕｅｔｏｏｔｈ（登録商標）に従ってペアリングする（無線通信可能に接続する）。本例では、携帯端末１０と第１のイヤフォン装置２０とのペアリングにおいては、携帯端末１０がマスターとして用いられるとともに、第１のイヤフォン装置２０がスレーブとして用いられる。
【００７０】
本例では、第１のイヤフォン装置２０は、図４に示した受信側ボタン２４１が、予め設定された閾値時間以上の時間に亘って押下された場合、ラウンドロビン方式に従って動作モードを変更する。本例では、受信側ボタン２４１が押下された場合、第１のイヤフォン装置２０は、動作モードとして、第１の無線通信部２１による通信が可能な装置を探索する処理（デバイススキャン）を実行する第１の動作モード、又は、第１の無線通信部２１による通信のためのペアリングの実行を待機する第２の動作モード等を用いる。
【００７１】
第１のイヤフォン装置２０は、上方向ボタン２４３、及び、下方向ボタン２４４が押下されることにより、ペアリングのためのパスキーが入力される。更に、第１のイヤフォン装置２０は、上方向ボタン２４３、又は、下方向ボタン２４４が予め設定された閾値時間以上の時間に亘って押下された場合、入力される文字のパスキーにおける位置が変更される。加えて、第１のイヤフォン装置２０は、受信側ボタン２４１が押下された場合、パスキーの入力が確定される（入力が完了する）。
【００７２】
更に、第１のイヤフォン装置２０と第２のイヤフォン装置３０とを、Ｂｌｕｅｔｏｏｔｈ（登録商標）に従ってペアリングする（無線通信可能に接続する）。本例では、第１のイヤフォン装置２０と第２のイヤフォン装置３０とのペアリングにおいては、第１のイヤフォン装置２０がマスターとして用いられるとともに、第２のイヤフォン装置３０がスレーブとして用いられる。
【００７３】
本例では、第１のイヤフォン装置２０は、図４に示した送信側ボタン２４２が、予め設定された閾値時間以上の時間に亘って押下された場合、ラウンドロビン方式に従って動作モードを変更する。本例では、送信側ボタン２４２が押下された場合、第１のイヤフォン装置２０は、動作モードとして、第２の無線通信部２８による通信が可能な装置を探索する処理（デバイススキャン）を実行する第３の動作モード等を用いる。
【００７４】
なお、第１のイヤフォン装置２０は、第１の無線通信部２１による通信のためのペアリングの実行後に、図４に示した受信側ボタン２４１が、予め設定された閾値時間以上の時間に亘って押下された場合、当該ペアリングを解除する（即ち、第１の無線通信部２１による接続を解除する）。
【００７５】
同様に、第１のイヤフォン装置２０は、第２の無線通信部２８による通信のためのペアリングの実行後に、図４に示した送信側ボタン２４２が、予め設定された閾値時間以上の時間に亘って押下された場合、当該ペアリングを解除する（即ち、第２の無線通信部２８による接続を解除する）。
【００７６】
携帯端末１０、及び、第１のイヤフォン装置２０が無線通信可能に接続され、且つ、第１のイヤフォン装置２０、及び、第２のイヤフォン装置３０が無線通信可能に接続された後、携帯端末１０は、第１のイヤフォン装置２０へ音情報を無線により送信する。具体的には、携帯端末１０は、音情報を構成する複数のデータブロックを１つずつ順に送信する。
【００７７】
本例では、各データブロックは、当該データブロックのデータ量（サイズ）が、予め設定された分割サイズとなるように、音情報を分割することにより生成される。なお、各データブロックは、当該データブロックが表す音の再生時間が、予め設定された分割再生時間となるように、音情報を分割することにより生成されていてもよい。ここで、再生時間は、音の再生が開始してから当該再生が終了するまでの時間である。
【００７８】
一方、第１のイヤフォン装置２０は、音情報を受信するため、図６にフローチャートにより示した受信処理を実行する。具体的には、第１のイヤフォン装置２０は、第１の無線通信部２１により、携帯端末１０が送信したデータブロックを受信する（ステップＳ１０１）。
【００７９】
そして、第１のイヤフォン装置２０は、受信したデータブロックを記憶部２５に蓄積（記憶）する（ステップＳ１０２）。そして、第１のイヤフォン装置２０は、ステップＳ１０１へ戻り、ステップＳ１０１〜ステップＳ１０２の処理を繰り返し実行する。
【００８０】
なお、本例では、第１のイヤフォン装置２０は、第２のイヤフォン装置３０へ、音情報のデータ形式（データフォーマット）を変更することなく送信する。従って、第１のイヤフォン装置２０は、受信したデータブロックを変換することなく蓄積する。なお、第１のイヤフォン装置２０が音情報のデータ形式を変更した後に、データブロックを第２のイヤフォン装置３０へ送信するように構成されている場合、第１のイヤフォン装置２０は、受信したデータブロックを変換した後にデータブロックを蓄積するように構成されていてもよい。
【００８１】
更に、第１のイヤフォン装置２０は、音情報が表す音を出力するとともに、音情報を第２のイヤフォン装置３０へ送信するため、図７にフローチャートにより示した送信処理を実行する。
【００８２】
具体的には、第１のイヤフォン装置２０は、予め設定された遅延量が正の値であるか否かを判定する（ステップＳ２０１）。
【００８３】
本例では、後述するように、第１のイヤフォン装置２０は、遅延量が正の値である場合、あるデータブロックに基づく音の出力を、当該データブロックの第２のイヤフォン装置３０への送信よりも遅延させる。一方、第１のイヤフォン装置２０は、遅延量が負の値である場合、あるデータブロックの第２のイヤフォン装置３０への送信を、当該データブロックに基づく音の出力よりも遅延させる。
【００８４】
先ず、遅延量が正の値に設定されている場合から説明する。
この場合、第１のイヤフォン装置２０は、記憶部１５に蓄積され、且つ、第２のイヤフォン装置３０へ未だ送信されていない（未送信の）データブロックのうちの、最も古い（音情報における位置が最も先頭側である）データブロック（処理ブロック）を読み出す（ステップＳ２０２）。
【００８５】
次いで、第１のイヤフォン装置２０は、遅延ブロックが表す音を既に出力した（遅延ブロックを出力済みである）か否かを判定する（ステップＳ２０３）。ここで、遅延ブロックは、上記読み出された処理ブロックの音情報における位置よりも、上記遅延量に対応するデータ量だけ末尾側に位置するデータブロックである。
【００８６】
なお、第１のイヤフォン装置２０は、管理情報に基づいて遅延ブロックを特定する。管理情報は、第１のイヤフォン装置２０が既に出力した遅延ブロックを特定するための情報を含む。
【００８７】
遅延ブロックを出力済みである場合、第１のイヤフォン装置２０は、ステップＳ２０４〜ステップＳ２０６の処理を実行することなくステップＳ２０７へ進み、上記読み出された処理ブロックを、第２の無線通信部２８によって第２のイヤフォン装置３０へ送信する（ステップＳ２０７）。
【００８８】
また、遅延ブロックを出力済みでない場合、第１のイヤフォン装置２０は、ステップＳ２０４へ進み、遅延ブロックを読み出す（ステップＳ２０４）。そして、第１のイヤフォン装置２０は、管理情報を更新する（ステップＳ２０５）。
【００８９】
次いで、第１のイヤフォン装置２０は、上記読み出した遅延ブロックを、音声出力部２７により、アナログ信号に変換し、変換後の遅延ブロックをステレオイヤフォン部２７１へ出力する。これにより、ステレオイヤフォン部２７１は、遅延ブロックが表す音を出力する（ステップＳ２０６）。
【００９０】
そして、第１のイヤフォン装置２０は、ステップＳ２０７へ進み、上記読み出された処理ブロックを、第２の無線通信部２８によって第２のイヤフォン装置３０へ送信する（ステップＳ２０７）。なお、第１のイヤフォン装置２０は、ステップＳ２０４にて遅延ブロックを読み出せなかった場合、ステップＳ２０４〜ステップＳ２０６の処理の実行を中止し、ステップＳ２０７へ進む。
【００９１】
更に、ステップＳ２０７の処理を実行後、第１のイヤフォン装置２０は、ステップＳ２０１へ戻り、ステップＳ２０１〜ステップＳ２１３の処理を繰り返し実行する。
【００９２】
次に、遅延量が負の値に設定されている場合について説明する。
この場合、第１のイヤフォン装置２０は、記憶部１５に蓄積され、且つ、未だ出力されていない（未出力の）音を表すデータブロックのうちの、最も古い（音情報における位置が最も先頭側である）データブロック（処理ブロック）を読み出す（ステップＳ２０８）。
【００９３】
次いで、第１のイヤフォン装置２０は、遅延ブロックを第２のイヤフォン装置３０へ既に送信した（遅延ブロックを送信済みである）か否かを判定する（ステップＳ２０９）。ここで、遅延ブロックは、上記読み出された処理ブロックの音情報における位置よりも、上記遅延量の絶対値に対応するデータ量だけ末尾側に位置するデータブロックである。
【００９４】
なお、第１のイヤフォン装置２０は、管理情報に基づいて遅延ブロックを特定する。管理情報は、第１のイヤフォン装置２０が既に出力した遅延ブロックを特定するための情報を含む。
【００９５】
遅延ブロックを送信済みである場合、第１のイヤフォン装置２０は、ステップＳ２１０〜ステップＳ２１２の処理を実行することなくステップＳ２１３へ進む。そして、第１のイヤフォン装置２０は、上記読み出された処理ブロックを、音声出力部２７により、アナログ信号に変換し、変換後の処理ブロックをステレオイヤフォン部２７１へ出力する。これにより、ステレオイヤフォン部２７１は、処理ブロックが表す音を出力する（ステップＳ２１３）。
【００９６】
また、遅延ブロックを送信済みでない場合、第１のイヤフォン装置２０は、ステップＳ２１０へ進み、遅延ブロックを読み出す（ステップＳ２１０）。そして、第１のイヤフォン装置２０は、管理情報を更新する（ステップＳ２１１）。
【００９７】
次いで、第１のイヤフォン装置２０は、上記読み出した遅延ブロックを、第２の無線通信部２８によって第２のイヤフォン装置３０へ送信する（ステップＳ２１２）。そして、第１のイヤフォン装置２０は、ステップＳ２１３へ進み、上記読み出された処理ブロックを、音声出力部２７により、アナログ信号に変換し、変換後の処理ブロックをステレオイヤフォン部２７１へ出力する。これにより、ステレオイヤフォン部２７１は、処理ブロックが表す音を出力する（ステップＳ２１３）。
【００９８】
なお、第１のイヤフォン装置２０は、ステップＳ２１０にて遅延ブロックを読み出せなかった場合、ステップＳ２１０〜ステップＳ２１２の処理の実行を中止し、ステップＳ２１３へ進む。
【００９９】
更に、ステップＳ２１３の処理を実行後、第１のイヤフォン装置２０は、ステップＳ２０１へ戻り、ステップＳ２０１〜ステップＳ２１３の処理を繰り返し実行する。
【０１００】
ここで、第１のイヤフォン装置２０の作動の具体例について説明する。
いま、遅延量が、１つのデータブロックのサイズと同じ値に設定されている場合を想定する。更に、音情報が、４つのデータブロックＤＢ１〜ＤＢ４により構成され、データブロックＤＢ１、データブロックＤＢ２、データブロックＤＢ３、及び、データブロックＤＢ４がこの順に、音情報の先頭から末尾へ向けて並んでいる場合を想定する。
【０１０１】
加えて、第１のイヤフォン装置２０が、いずれのデータブロックＤＢ１〜ＤＢ４も出力していない場合を想定する。この場合において、第１のイヤフォン装置２０が、ステップＳ２０２にて、未送信の処理ブロックとしてデータブロックＤＢ１を読み出した時点を想定する。
【０１０２】
この時点では、遅延ブロックが蓄積されていない。従って、第１のイヤフォン装置２０は、ステップＳ２０３にて「Ｎｏ」と判定してステップＳ２０４に進むが、ステップＳ２０４〜ステップＳ２０６の処理を中止し、ステップＳ２０７へ進む。そして、第１のイヤフォン装置２０は、読み出した処理ブロックＤＢ１を第２のイヤフォン装置３０へ送信する。
【０１０３】
そして、第１のイヤフォン装置２０は、再びステップＳ２０２へ進んだとき、未送信の処理ブロックとしてデータブロックＤＢ２を読み出す。この時点では、遅延ブロックとしてのデータブロックＤＢ１が蓄積されている。また、データブロックＤＢ１は出力されていない。
【０１０４】
従って、第１のイヤフォン装置２０は、ステップＳ２０３にて「Ｎｏ」と判定してステップＳ２０４へ進み、遅延ブロックＤＢ１を読み出し（ステップＳ２０４）、遅延ブロックＤＢ１が表す音を出力する（ステップＳ２０６）。そして、第１のイヤフォン装置２０は、読み出した処理ブロックＤＢ２を第２のイヤフォン装置３０へ送信する（ステップＳ２０７）。
【０１０５】
このようにして、第１のイヤフォン装置２０は、あるデータブロックに基づく音の出力を、当該データブロックの第２のイヤフォン装置３０への送信よりも遅延させる。この結果、第１のイヤフォン装置２０と第２のイヤフォン装置３０とは、同時に同じ音を出力することができる。
【０１０６】
次に、遅延量の設定について説明する。
本例では、第１のイヤフォン装置２０は、図４に示した上方向ボタン２４３及び下方向ボタン２４４が、同時に、予め設定された閾値時間以上の時間に亘って押下された場合、第４の動作モードに設定される。第４の動作モードは、遅延量を設定するための増減情報の入力を受け付けるモードである。
【０１０７】
第１のイヤフォン装置２０は、第４の動作モードにて動作している場合、上方向ボタン２４３、及び、下方向ボタン２４４が押下されることにより、増減情報が入力される。増減情報は、予め設定された変化量だけ遅延量を増加させる情報、又は、予め設定された変化量だけ遅延量を減少させる情報、である。
【０１０８】
加えて、第１のイヤフォン装置２０は、第４の動作モードにて動作している場合において、受信側ボタン２４１又は送信側ボタン２４２が押下されたとき、増減情報の入力が確定される（入力が完了する）。なお、第１のイヤフォン装置２０は、最後に増減情報が入力された時点から、予め設定された待機時間が経過するまでの間に、新たに増減情報が入力されない場合、増減情報の入力が確定されるように構成されていてもよい。
【０１０９】
第１のイヤフォン装置２０は、ユーザに遅延量を設定させるため、図８にフローチャートにより示した設定処理を実行する。
【０１１０】
先ず、ユーザがユーザインタフェース部２００を操作することにより増減情報を入力する。第１のイヤフォン装置２０は、ユーザにより入力された増減情報を受け付ける（ステップＳ３０１）。
【０１１１】
第１のイヤフォン装置２０は、ユーザによる増減情報の入力が完了するまで、ステップＳ３０１の処理を繰り返し実行する（ステップＳ３０２）。ユーザによる増減情報の入力が完了すると、第１のイヤフォン装置２０は、図８に示した設定処理を終了する。
【０１１２】
例えば、ユーザは、第１のイヤフォン装置２０のステレオイヤフォン部２７１と、第２のイヤフォン装置３０のステレオイヤフォン部３７１と、の両方から出力される音を聴きながら、遅延量を設定することにより、容易に適切な遅延量を設定することができる。
【０１１３】
例えば、ユーザは、ユーザの一方の耳に、ステレオイヤフォン部２７１の１つを装着し、且つ、ユーザの他方の耳に、ステレオイヤフォン部３７１の１つを装着することにより、ステレオイヤフォン部２７１とステレオイヤフォン部３７１との両方から出力される音を聴くことができる。
【０１１４】
なお、第１のイヤフォン装置２０は、ユーザによる遅延量の設定を行えないように構成されていてもよい。この場合、遅延量は、第１のイヤフォン装置２０の製造時に、予め設定される。
【０１１５】
以上、説明したように、本発明の第１実施形態に係る音出力システム１によれば、携帯端末１０と第１のイヤフォン装置２０とを接続するケーブルが存在しないので、第１のイヤフォン装置２０を装着したユーザの動作が制限されることを回避することができる。更に、携帯端末１０により送信された音情報が表す音を、複数のユーザ（本例では、第１のイヤフォン装置２０を装着したユーザ、及び、第２のイヤフォン装置３０を装着したユーザ）が同時にヘッドフォン装置（本例では、イヤフォン装置）から聴くことができる。
【０１１６】
更に、第１実施形態に係る音出力システム１によれば、第１のイヤフォン装置２０と第２のイヤフォン装置３０とを接続するケーブルも存在しないので、ユーザの動作の自由度をより一層高めることができる。
従って、例えば、ヘッドフォン装置を装着した複数のユーザがダンスを行う場合、各ユーザの位置等に対する自由度を十分に高めることができる。
【０１１７】
加えて、第１実施形態に係る音出力システム１は、複数のヘッドフォン装置（本例では、第１のイヤフォン装置２０及び第２のイヤフォン装置３０）が同時に同じ音を出力するように、出力遅延時間、及び、送信遅延時間を調整するように構成されている。
【０１１８】
これによれば、携帯端末１０に接続された第１のイヤフォン装置２０が、音情報を受信してから、当該音情報が表す音を出力するまでの時間と、第１のイヤフォン装置２０が当該音情報を受信してから、第２のイヤフォン装置３０が、当該音情報が表す音を出力するまでの時間と、を一致させることができる。従って、複数のユーザが同時に同じ音をヘッドフォン装置から聴くことができる。
【０１１９】
従って、例えば、ヘッドフォン装置毎に、音情報を受信してから、当該音情報が表す音を出力するまでに要する最短の時間が異なる場合であっても、複数のヘッドフォン装置が同時に同じ音を出力することができる。
【０１２０】
なお、第１実施形態において、記憶部２５は、ＦＩＦＯバッファに音情報を記憶するように構成されていたが、ファイルシステムにおいて音情報を記憶するように構成されていてもよい。この場合、記憶部２５は、データブロックと、タイムスタンプ等の音情報における当該データブロックの順序又は位置を表す情報と、を対応付けて記憶することが好適である。
【０１２１】
また、第１実施形態の変形例において、音声出力部２７が記憶部２５を含んでいてもよい。
【０１２２】
また、第１実施形態の変形例において、第１のイヤフォン装置２０は、ステップＳ２０７の処理を、ステップＳ２０３の処理の前に実行するように構成されていてもよい。同様に、第１のイヤフォン装置２０は、ステップＳ２１３の処理を、ステップＳ２０９の処理の前に実行するように構成されていてもよい。
【０１２３】
また、第１のイヤフォン装置２０は、データブロックの送信を失敗することにより、処理が継続できなくなった場合、適宜、処理をスキップするように構成されることが好適である。
【０１２４】
また、第１実施形態の変形例において、第１のイヤフォン装置２０は、入力部２４及び表示部２３を備えていなくてもよい。また、第１実施形態の変形例において、第１のイヤフォン装置２０は、出力遅延時間、及び、送信遅延時間のいずれか一方のみを調整するように構成されていてもよい。また、第１実施形態の変形例において、第１のイヤフォン装置２０は、出力遅延時間、及び、送信遅延時間の両方を調整しないように構成されていてもよい。
【０１２５】
また、第１実施形態の変形例に係る音出力システム１は、Ｂｌｕｅｔｏｏｔｈ（登録商標）以外の通信方式を用いるように構成されていてもよい。この場合、音出力システム１は、携帯端末１０と第１のイヤフォン装置２０との区間、及び、第１のイヤフォン装置２０と第２のイヤフォン装置３０との区間のそれぞれに対して、互いに異なる（即ち、無線通信の区間毎に異なる）無線周波数を用いるように構成されることが好適である。これによれば、無線周波数が重複することにより通信の品質が過度に低下したり、データの再送信が行われることにより遅延時間が過大となったり、することを回避することができる。
【０１２６】
＜第２実施形態＞
次に、本発明の第２実施形態に係る音出力システムについて説明する。第２実施形態に係る音出力システムは、上記第１実施形態に係る音出力システムに対して、第１のイヤフォン装置と第２のイヤフォン装置とがケーブルを介して接続されている点において相違している。従って、以下、かかる相違点を中心として説明する。
【０１２７】
第２実施形態に係る音出力システム２は、図９に示したように、第１実施形態に係る音出力システム１の、第１のイヤフォン装置２０及び第２のイヤフォン装置３０に代えて、第１のイヤフォン装置４０Ａ及び第２のイヤフォン装置４０Ｂを備える。なお、音出力システム２は、３つ以上のイヤフォン装置を備えていてもよい。
【０１２８】
第１のイヤフォン装置４０Ａ及び第２のイヤフォン装置４０Ｂは、ケーブルＣ１により通信可能に接続されている。
第１のイヤフォン装置４０Ａは、携帯端末１０により送信された音情報を受信し、受信した音情報をケーブルＣ１を介して第２のイヤフォン装置４０Ｂへ送信する。
【０１２９】
次に、第１のイヤフォン装置４０Ａの構成について、より具体的に説明する。なお、第２のイヤフォン装置４０Ｂも、第１のイヤフォン装置４０Ａと同様の構成を有する。
【０１３０】
図１０に示したように、第１のイヤフォン装置４０Ａは、第１の無線通信部４１と、制御部４２と、表示部４３と、入力部４４と、記憶部４５と、音声出力部４７と、ステレオイヤフォン部４７１と、第１のジャック部４８１と、第２のジャック部４８２と、を備える。
【０１３１】
なお、第１の無線通信部４１、制御部４２、表示部４３、入力部４４、記憶部４５、音声出力部４７、及び、ステレオイヤフォン部４７１、は、第１実施形態に係る、第１の無線通信部２１、制御部２２、表示部２３、入力部２４、記憶部２５、音声出力部２７、及び、ステレオイヤフォン部２７１、と同様の機能をそれぞれ有する。
【０１３２】
制御部４２は、出力遅延時間、及び、送信遅延時間の両方を調整しない。
音声出力部４７は、第１の無線通信部４１により受信された音情報を、デジタル信号からアナログ信号に変換し、変換後の音情報をステレオイヤフォン部４７１及び第２のジャック部４８２のそれぞれへ同時に出力する。
【０１３３】
第１のジャック部４８１は、入力された音情報をステレオイヤフォン部４７１へ出力する。
また、第１のイヤフォン装置４０Ａの第２のジャック部４８２と、第２のイヤフォン装置４０Ｂの第１のジャック部４８１と、は、ケーブルＣ１の両端のそれぞれに形成されたプラグ部が着脱可能に装着されることにより、通信可能に接続されている。
【０１３４】
このような構成により、第１のイヤフォン装置４０Ａは、携帯端末１０から受信した音情報が表す音をステレオイヤフォン部４７１により出力するとともに、当該音情報（ここでは、アナログ信号）を、ケーブルＣ１を介して第２のイヤフォン装置４０Ｂへ出力（送信）する。そして、第２のイヤフォン装置４０Ｂは、ケーブルＣ１を介して第１のイヤフォン装置４０Ａから入力された音情報が表す音をステレオイヤフォン部４７１により出力する。
【０１３５】
なお、第１のイヤフォン装置４０Ａ、及び、第２のイヤフォン装置４０Ｂのそれぞれは、ケーブルＣ１の脱着（挿抜）によって回路が損傷しないように、過大な電流を遮断する機能等を有することが好適である。
【０１３６】
また、第１のイヤフォン装置４０Ａ、及び、第２のイヤフォン装置４０Ｂのそれぞれは、ステレオイヤフォン部４７１により出力される音の音量が適切な大きさとなるように、音量を自動的に調整する機能を有することが好適である。また、第１のイヤフォン装置４０Ａ、及び、第２のイヤフォン装置４０Ｂのそれぞれは、ケーブルＣ１が脱着された際に生じる電流の変化に伴って発生する雑音を抑制する機能を有することが好適である。また、第１のイヤフォン装置４０Ａは、ケーブルＣ１が脱着された際に生じる電流の変化によって、音の出力が停止することを回避する機能を有することが好適である。
【０１３７】
以上、説明したように、本発明の第２実施形態に係る音出力システム２によれば、第１のイヤフォン装置４０Ａと第２のイヤフォン装置４０Ｂとは、同時に同じ音を出力することができる。従って、第１実施形態に係る音出力システム１と同様の作用及び効果を奏することができる。
【０１３８】
なお、第２実施形態においては、第１のイヤフォン装置４０Ａから第２のイヤフォン装置４０Ｂへ出力される音情報は、アナログ信号であったが、デジタル信号であってもよい。また、ケーブルＣ１は、第１のイヤフォン装置４０Ａ及び第２のイヤフォン装置４０Ｂの一方のジャック部と一体に形成されていてもよい。
【０１３９】
また、第２のイヤフォン装置４０Ｂは、ジャック部、音声出力部、及び、ステレオイヤフォン部のみを備えていてもよい。
【０１４０】
＜第３実施形態＞
次に、本発明の第３実施形態に係る音出力システムについて説明する。第３実施形態に係る音出力システムは、上記第１実施形態に係る音出力システムに対して、携帯端末に接続された送信装置が、音情報を、第１のイヤフォン装置及び第２のイヤフォン装置のそれぞれへ無線により送信する点において相違している。従って、以下、かかる相違点を中心として説明する。
【０１４１】
第３実施形態に係る音出力システム３は、図１１に示したように、第１実施形態に係る音出力システム１の、第１のイヤフォン装置２０及び第２のイヤフォン装置３０に代えて、第１のイヤフォン装置５０Ａ及び第２のイヤフォン装置５０Ｂを備える。更に、音出力システム３は、送信装置６０を備える。本例では、送信装置６０は、音情報送信装置を構成している。なお、音出力システム３は、３つ以上のイヤフォン装置を備えていてもよい。
【０１４２】
携帯端末１０及び送信装置６０は、ケーブルＣ２により通信可能に接続されている。携帯端末１０は、ケーブルＣ２を介して音情報を送信装置６０へ出力（送信）する。
送信装置６０は、携帯端末１０により送信された音情報を受信し、受信した音情報を無線により、第１のイヤフォン装置５０Ａ、及び、第２のイヤフォン装置５０Ｂのそれぞれへ送信する。
【０１４３】
次に、送信装置６０の構成について、より具体的に説明する。
図１２に示したように、送信装置６０は、制御部６２と、表示部６３と、入力部６４と、記憶部６５と、音情報変換部６７と、ジャック部６７１と、第１の無線通信部６８１と、第２の無線通信部６８２と、を備える。
【０１４４】
なお、制御部６２、表示部６３、入力部６４、及び、記憶部６５、は、第１実施形態に係る、制御部２２、表示部２３、入力部２４、及び、記憶部２５、と同様の機能をそれぞれ有する。
【０１４５】
制御部６２は、出力遅延時間、及び、送信遅延時間の両方を調整しない。
また、送信装置６０のジャック部６７１と、携帯端末１０のジャック部１７２と、は、ケーブルＣ２の両端のそれぞれに形成されたプラグ部が着脱可能に装着されることにより、通信可能に接続されている。
【０１４６】
ジャック部６７１は、入力された音情報を音情報変換部６７へ出力する。
音情報変換部６７は、ジャック部６７１により出力された音情報を、アナログ信号からデジタル信号に変換し、変換後の音情報を第１の無線通信部６８１及び第２の無線通信部６８２のそれぞれへ同時に出力する。
【０１４７】
第１の無線通信部６８１は、予め定められた通信方式（本例では、Ｂｌｕｅｔｏｏｔｈ（登録商標））に従って、自装置と他の装置（本例では、第１のイヤフォン装置５０Ａ）とを無線通信可能に接続する。なお、第１の無線通信部６８１は、Ｂｌｕｅｔｏｏｔｈ以外の通信方式を用いるように構成されていてもよい。通信方式は、音を表す音情報を送信するために必要とされる通信帯域以上の通信帯域を確保可能な通信方式であることが好適である。
【０１４８】
更に、第１の無線通信部６８１は、予め設定された通信プロファイルに従って、音情報（本例では、音情報変換部６７により出力された音情報）を、無線通信可能に接続された装置（本例では、第１のイヤフォン装置５０Ａ）へ無線により送信する。第１の無線通信部６８１は、第１の音情報送信手段を構成している。
【０１４９】
同様に、第２の無線通信部６８２は、予め定められた通信方式（本例では、Ｂｌｕｅｔｏｏｔｈ（登録商標））に従って、自装置と他の装置（本例では、第２のイヤフォン装置５０Ｂ）とを無線通信可能に接続する。なお、第２の無線通信部６８２は、Ｂｌｕｅｔｏｏｔｈ以外の通信方式を用いるように構成されていてもよい。
【０１５０】
更に、第２の無線通信部６８２は、予め設定された通信プロファイルに従って、音情報（本例では、音情報変換部６７により出力された音情報）を、無線通信可能に接続された装置（本例では、第２のイヤフォン装置５０Ｂ）へ無線により送信する。第２の無線通信部６８２は、第２の音情報送信手段を構成している。
【０１５１】
次に、第１のイヤフォン装置５０Ａの構成について、より具体的に説明する。なお、第２のイヤフォン装置５０Ｂも、第１のイヤフォン装置５０Ａと同様の構成を有する。
第１のイヤフォン装置５０Ａは、図１３に示したように、第１の無線通信部５１と、制御部５２と、表示部５３と、入力部５４と、記憶部５５と、音声出力部５７と、ステレオイヤフォン部５７１と、を備える。
【０１５２】
なお、第１の無線通信部５１、制御部５２、表示部５３、入力部５４、記憶部５５、音声出力部５７、及び、ステレオイヤフォン部５７１、は、第１実施形態に係る、第１の無線通信部３１、制御部３２、表示部３３、入力部３４、記憶部３５、音声出力部３７、及び、ステレオイヤフォン部３７１、と同様の機能をそれぞれ有する。
【０１５３】
第１のイヤフォン装置５０Ａの第１の無線通信部５１は、送信装置６０の第１の無線通信部６８１を無線通信可能に接続する。第２のイヤフォン装置５０Ｂの第１の無線通信部５１は、送信装置６０の第２の無線通信部６８２を無線通信可能に接続する。
【０１５４】
第１のイヤフォン装置５０Ａの第１の無線通信部５１は、第１の無線通信部６８１により送信された音情報を受信する。第１のイヤフォン装置５０Ａの音声出力部５７は、第１の無線通信部５１により受信された音情報を、デジタル信号からアナログ信号に変換し、変換後の音情報をステレオイヤフォン部５７１へ出力する。
【０１５５】
第２のイヤフォン装置５０Ｂの第１の無線通信部５１は、第２の無線通信部６８２により送信された音情報を受信する。第２のイヤフォン装置５０Ｂの音声出力部５７は、第１の無線通信部５１により受信された音情報を、デジタル信号からアナログ信号に変換し、変換後の音情報をステレオイヤフォン部５７１へ出力する。
【０１５６】
このような構成により、第１のイヤフォン装置５０Ａは、携帯端末１０から送信装置６０を介して受信した音情報が表す音をステレオイヤフォン部５７１により出力する。更に、第２のイヤフォン装置５０Ｂも、携帯端末１０から送信装置６０を介して受信した音情報が表す音をステレオイヤフォン部５７１により出力する。
【０１５７】
以上、説明したように、本発明の第３実施形態に係る音出力システム３によれば、第１のイヤフォン装置５０Ａと第２のイヤフォン装置５０Ｂとは、同時に同じ音を出力することができる。従って、第１実施形態に係る音出力システム１と同様の作用及び効果を奏することができる。
【０１５８】
なお、第３実施形態に係る送信装置６０は、第１の無線通信部６８１及び第２の無線通信部６８２の一方が他方よりも予め設定された遅延量だけ遅延しながら音情報を送信するように構成されていてもよい。即ち、送信装置６０は、第１の無線通信部６８１及び第２の無線通信部６８２の一方が、あるデータブロックを送信してから、遅延量だけ経過した時点にて、他方が当該データブロックを送信するように、構成されていてもよい。
【０１５９】
これによれば、送信装置６０によりデータブロックが送信されてから、当該データブロックが表す音が出力されるまでに要する最短の時間が、第１のイヤフォン装置５０Ａと第２のイヤフォン装置５０Ｂとの間で異なる場合であっても、第１のイヤフォン装置５０Ａと第２のイヤフォン装置５０Ｂとが同時に同じ音を出力することができる。
【０１６０】
なお、第３実施形態においては、携帯端末１０から送信装置６０へ出力される音情報は、アナログ信号であったが、デジタル信号であってもよい。また、携帯端末１０は、送信装置６０を内蔵していてもよい。
【０１６１】
また、第３実施形態の変形例に係る音出力システム１は、Ｂｌｕｅｔｏｏｔｈ（登録商標）以外の通信方式を用いるように構成されていてもよい。この場合、音出力システム３は、送信装置６０と第１のイヤフォン装置５０Ａとの区間、及び、送信装置６０と第２のイヤフォン装置５０Ｂとの区間のそれぞれに対して、互いに異なる（即ち、無線通信の区間毎に異なる）無線周波数を用いるように構成されることが好適である。これによれば、無線周波数が重複することにより通信の品質が過度に低下したり、データの再送信が行われることにより遅延時間が過大となったり、することを回避することができる。
【０１６２】
＜第４実施形態＞
次に、本発明の第４実施形態に係る音出力システムについて図１４を参照しながら説明する。
第４実施形態に係る音出力システム１０００は、音を出力するシステムである。
更に、この音出力システム１０００は、
音を表す音情報を無線により送信する音情報送信装置と、
上記音情報が表す音を出力する、複数のヘッドフォン装置と、
を備える。
【０１６３】
加えて、音出力システム１０００は、
上記音情報送信装置と、上記複数のヘッドフォン装置のうちの少なくとも１つのヘッドフォン装置と、を無線通信可能に接続する無線接続部（無線接続手段）１００１と、
上記音情報送信装置が、当該音情報送信装置に上記接続されたヘッドフォン装置へ無線により上記音情報を送信することにより、上記複数のヘッドフォン装置のそれぞれへ当該音情報を伝送する音情報伝送部（音情報伝送手段）１００２と、
上記複数のヘッドフォン装置のそれぞれが、上記伝送された音情報が表す音を出力する音出力部（音出力手段）１００３と、
を備える。
【０１６４】
これによれば、音情報送信装置とヘッドフォン装置とを接続するケーブルが存在しないので、ユーザの動作が制限されることを回避することができる。更に、音情報送信装置により送信された音情報が表す音を、複数のユーザが同時にヘッドフォン装置から聴くことができる。
【０１６５】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１６６】
なお、上記各実施形態において各装置（携帯端末、送信装置、又は、イヤフォン装置）の各機能は、回路等のハードウェアにより実現されていた。ところで、各装置は、処理装置と、プログラム（ソフトウェア）を記憶する記憶装置と、を備えるとともに、処理装置がそのプログラムを実行することにより、各機能を実現するように構成されていてもよい。この場合、プログラムは、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【０１６７】
また、上記実施形態の他の変形例として、上述した実施形態及び変形例の任意の組み合わせが採用されてもよい。
【０１６８】
＜付記＞
上記実施形態の一部又は全部は、以下の付記のように記載され得るが、以下には限られない。
【０１６９】
（付記１）
音を出力する音出力システムであって、
音を表す音情報を無線により送信する音情報送信装置と、
前記音情報が表す音を出力する、複数のヘッドフォン装置と、
を備えるとともに、
前記音情報送信装置と、前記複数のヘッドフォン装置のうちの少なくとも１つのヘッドフォン装置と、を無線通信可能に接続する無線接続手段と、
前記音情報送信装置が、当該音情報送信装置に前記接続されたヘッドフォン装置へ無線により前記音情報を送信することにより、前記複数のヘッドフォン装置のそれぞれへ当該音情報を伝送する音情報伝送手段と、
前記複数のヘッドフォン装置のそれぞれが、前記伝送された音情報が表す音を出力する音出力手段と、
を備える音出力システム。
【０１７０】
これによれば、音情報送信装置とヘッドフォン装置とを接続するケーブルが存在しないので、ユーザの動作が制限されることを回避することができる。更に、音情報送信装置により送信された音情報が表す音を、複数のユーザが同時にヘッドフォン装置から聴くことができる。
【０１７１】
（付記２）
付記１に記載の音出力システムであって、
前記複数のヘッドフォン装置は、第１のヘッドフォン装置と第２のヘッドフォン装置とを含み、
前記無線接続手段は、前記音情報送信装置と前記第１のヘッドフォン装置とを無線通信可能に接続するとともに、前記第１のヘッドフォン装置と前記第２のヘッドフォン装置とを無線通信可能に接続するように構成され、
前記音情報伝送手段は、前記音情報送信装置が、当該音情報送信装置に前記接続された第１のヘッドフォン装置へ無線により前記音情報を送信するとともに、当該第１のヘッドフォン装置が、当該第１のヘッドフォン装置に前記接続された第２のヘッドフォン装置へ無線により当該音情報を送信することにより、前記複数のヘッドフォン装置のそれぞれへ当該音情報を伝送するように構成された音出力システム。
【０１７２】
これによれば、第１のヘッドフォン装置と第２のヘッドフォン装置とを接続するケーブルが存在しないので、ユーザの動作の自由度をより一層高めることができる。
【０１７３】
（付記３）
付記１に記載の音出力システムであって、
前記複数のヘッドフォン装置は、第１のヘッドフォン装置と第２のヘッドフォン装置とを含み、
前記第１のヘッドフォン装置と前記第２のヘッドフォン装置とは、ケーブルにより通信可能に接続され、
前記無線接続手段は、前記音情報送信装置と前記第１のヘッドフォン装置とを無線通信可能に接続するように構成され、
前記音情報伝送手段は、前記音情報送信装置が、当該音情報送信装置に前記接続された第１のヘッドフォン装置へ無線により前記音情報を送信するとともに、当該第１のヘッドフォン装置が、当該第１のヘッドフォン装置に前記接続された第２のヘッドフォン装置へ前記ケーブルを介して当該音情報を送信することにより、前記複数のヘッドフォン装置のそれぞれへ当該音情報を伝送するように構成された音出力システム。
【０１７４】
（付記４）
付記１に記載の音出力システムであって、
前記複数のヘッドフォン装置は、第１のヘッドフォン装置と第２のヘッドフォン装置とを含み、
前記無線接続手段は、前記音情報送信装置と前記第１のヘッドフォン装置とを無線通信可能に接続するとともに、前記音情報送信装置と前記第２のヘッドフォン装置とを無線通信可能に接続するように構成され、
前記音情報伝送手段は、前記音情報送信装置が、当該音情報送信装置に前記接続された第１のヘッドフォン装置へ無線により前記音情報を送信するとともに、当該音情報送信装置が、当該音情報送信装置に前記接続された第２のヘッドフォン装置へ無線により当該音情報を送信することにより、前記複数のヘッドフォン装置のそれぞれへ当該音情報を伝送するように構成された音出力システム。
【０１７５】
これによれば、第１のヘッドフォン装置と第２のヘッドフォン装置とを接続するケーブルが存在しないので、ユーザの動作の自由度をより一層高めることができる。
【０１７６】
（付記５）
付記１乃至付記４のいずれかに記載の音出力システムであって、
前記複数のヘッドフォン装置が同時に同じ音を出力するように、前記音情報送信装置に前記接続されたヘッドフォン装置が前記音情報を受信してから、当該ヘッドフォン装置が、当該音情報が表す音を出力するまでの出力遅延時間を調整する出力遅延時間調整手段を備える音出力システム。
【０１７７】
ところで、音情報送信装置に接続されたヘッドフォン装置が、音情報を受信してから、当該音情報が表す音を出力するまでに要する最短の時間が、当該ヘッドフォン装置が当該音情報を受信してから、他のヘッドフォン装置が、当該音情報が表す音を出力するまでに要する最短の時間よりも短い場合がある。この場合、複数のヘッドフォン装置が同時に同じ音を出力することができない。
【０１７８】
これに対し、上記構成によれば、音情報送信装置に接続されたヘッドフォン装置が、音情報を受信してから、当該音情報が表す音を出力するまでの時間と、当該ヘッドフォン装置が当該音情報を受信してから、他のヘッドフォン装置が、当該音情報が表す音を出力するまでの時間と、を一致させることができる。従って、複数のユーザが同時に同じ音をヘッドフォン装置から聴くことができる。
【０１７９】
（付記６）
付記１乃至付記５のいずれかに記載の音出力システムであって、
前記複数のヘッドフォン装置が同時に同じ音を出力するように、前記音情報送信装置に前記接続されたヘッドフォン装置が前記音情報を受信してから、当該ヘッドフォン装置が、当該音情報を他のヘッドフォン装置へ送信するまでの送信遅延時間を調整する送信遅延時間調整手段を備える音出力システム。
【０１８０】
ところで、音情報送信装置に接続されたヘッドフォン装置が、音情報を受信してから、当該音情報が表す音を出力するまでに要する最短の時間が、当該ヘッドフォン装置が当該音情報を受信してから、他のヘッドフォン装置が、当該音情報が表す音を出力するまでに要する最短の時間よりも長い場合がある。この場合、複数のヘッドフォン装置が同時に同じ音を出力することができない。
【０１８１】
これに対し、上記構成によれば、音情報送信装置に接続されたヘッドフォン装置が、音情報を受信してから、当該音情報が表す音を出力するまでの時間と、当該ヘッドフォン装置が当該音情報を受信してから、他のヘッドフォン装置が、当該音情報が表す音を出力するまでの時間と、を一致させることができる。従って、複数のユーザが同時に同じ音をヘッドフォン装置から聴くことができる。
【０１８２】
（付記７）
音を出力する音出力方法であって、
音を表す音情報を無線により送信する音情報送信装置と、
前記音情報が表す音を出力する、複数のヘッドフォン装置と、
を備える音出力システムに適用され、
前記音情報送信装置と、前記複数のヘッドフォン装置のうちの少なくとも１つのヘッドフォン装置と、を無線通信可能に接続し、
前記音情報送信装置が、当該音情報送信装置に前記接続されたヘッドフォン装置へ無線により前記音情報を送信することにより、前記複数のヘッドフォン装置のそれぞれへ当該音情報を伝送し、
前記複数のヘッドフォン装置のそれぞれが、前記伝送された音情報が表す音を出力する、音出力方法。
【０１８３】
（付記８）
音を表す音情報を無線により送信する音情報送信装置であって、
前記音情報が表す音を出力する第１のヘッドフォン装置を無線通信可能に接続するとともに、当該音情報が表す音を出力する第２のヘッドフォン装置を無線通信可能に接続する無線接続手段と、
前記接続された第１のヘッドフォン装置へ無線により前記音情報を送信する第１の音情報送信手段と、
前記接続された第２のヘッドフォン装置へ無線により前記音情報を送信する第２の音情報送信手段と、
を備える音情報送信装置。
【０１８４】
（付記９）
音を表す音情報を無線により送信する音情報送信装置に適用され、
前記音情報が表す音を出力する第１のヘッドフォン装置を無線通信可能に接続するとともに、当該音情報が表す音を出力する第２のヘッドフォン装置を無線通信可能に接続し、
前記接続された第１のヘッドフォン装置へ無線により前記音情報を送信し、
前記接続された第２のヘッドフォン装置へ無線により前記音情報を送信する、音情報送信装置制御方法。
【０１８５】
（付記１０）
音を表す音情報を無線により送信する音情報送信装置に、
前記音情報が表す音を出力する第１のヘッドフォン装置を無線通信可能に接続するとともに、当該音情報が表す音を出力する第２のヘッドフォン装置を無線通信可能に接続し、
前記接続された第１のヘッドフォン装置へ無線により前記音情報を送信し、
前記接続された第２のヘッドフォン装置へ無線により前記音情報を送信する、処理を実行させるための音情報送信装置制御プログラム。
【０１８６】
（付記１１）
音を出力するヘッドフォン装置であって、
音を表す音情報を無線により送信する音情報送信装置を無線通信可能に接続するとともに、他のヘッドフォン装置を無線通信可能に接続する無線接続手段と、
前記接続された音情報送信装置から無線により送信された前記音情報を受信する音情報受信手段と、
前記受信された音情報が表す音を出力する音出力手段と、
前記受信された音情報を、前記接続された他のヘッドフォン装置へ無線により送信する音情報送信手段と、
を備えるヘッドフォン装置。
【０１８７】
（付記１２）
音を出力するヘッドフォン装置であって、
他のヘッドフォン装置とケーブルにより通信可能に接続され、
音を表す音情報を無線により送信する音情報送信装置を無線通信可能に接続する無線接続手段と、
前記接続された音情報送信装置から無線により送信された前記音情報を受信する音情報受信手段と、
前記受信された音情報が表す音を出力する音出力手段と、
前記受信された音情報を、前記接続された他のヘッドフォン装置へ前記ケーブルを介して送信する音情報送信手段と、
を備えるヘッドフォン装置。
【０１８８】
（付記１３）
音を出力するヘッドフォン装置に適用されるヘッドフォン装置制御方法であって、
音を表す音情報を無線により送信する音情報送信装置を無線通信可能に接続するとともに、他のヘッドフォン装置を無線通信可能に接続し、
前記接続された音情報送信装置から無線により送信された前記音情報を受信し、
前記受信された音情報が表す音を出力し、
前記受信された音情報を、前記接続された他のヘッドフォン装置へ無線により送信する、ヘッドフォン装置制御方法。
【０１８９】
（付記１４）
音を出力するヘッドフォン装置に適用されるヘッドフォン装置制御方法であって、
音を表す音情報を無線により送信する音情報送信装置を無線通信可能に接続し、
前記接続された音情報送信装置から無線により送信された前記音情報を受信し、
前記受信された音情報が表す音を出力し、
前記受信された音情報を、ケーブルにより通信可能に接続された他のヘッドフォン装置へ当該ケーブルを介して送信する、ヘッドフォン装置制御方法。
【０１９０】
（付記１５）
音を出力するヘッドフォン装置に、
音を表す音情報を無線により送信する音情報送信装置を無線通信可能に接続するとともに、他のヘッドフォン装置を無線通信可能に接続し、
前記接続された音情報送信装置から無線により送信された前記音情報を受信し、
前記受信された音情報が表す音を出力し、
前記受信された音情報を、前記接続された他のヘッドフォン装置へ無線により送信する、処理を実行させるためのヘッドフォン装置制御プログラム。
【０１９１】
（付記１６）
音を出力するヘッドフォン装置に、
音を表す音情報を無線により送信する音情報送信装置を無線通信可能に接続し、
前記接続された音情報送信装置から無線により送信された前記音情報を受信し、
前記受信された音情報が表す音を出力し、
前記受信された音情報を、ケーブルにより通信可能に接続された他のヘッドフォン装置へ当該ケーブルを介して送信する、処理を実行させるためのヘッドフォン装置制御プログラム。
【産業上の利用可能性】
【０１９２】
本発明は、音を出力するヘッドフォン装置を備える音出力システム等に適用可能である。
【符号の説明】
【０１９３】
１      音出力システム
２      音出力システム
３      音出力システム
１０    携帯端末
１１    第１の無線通信部
１２    制御部
１３    表示部
１４    入力部
１５    記憶部
１６    音声入力部
１７    音声出力部
１８    第２の無線通信部
２０    第１のイヤフォン装置
２１    第１の無線通信部
２２    制御部
２３    表示部
２４    入力部
２５    記憶部
２７    音声出力部
２８    第２の無線通信部
３０    第２のイヤフォン装置
３１    第１の無線通信部
３２    制御部
３３    表示部
３４    入力部
３５    記憶部
３７    音声出力部
４０Ａ  第１のイヤフォン装置
４０Ｂ  第２のイヤフォン装置
４１    第１の無線通信部
４２    制御部
４３    表示部
４４    入力部
４５    記憶部
４７    音声出力部
５０Ａ  第１のイヤフォン装置
５０Ｂ  第２のイヤフォン装置
５１    第１の無線通信部
５２    制御部
５３    表示部
５４    入力部
５５    記憶部
５７    音声出力部
６０    送信装置
６２    制御部
６３    表示部
６４    入力部
６５    記憶部
６７    音情報変換部
１７１  スピーカ部
１７２  ジャック部
２００  ユーザインタフェース部
２３１  ディスプレイ
２３２  第１のＬＥＤランプ
２３３  第２のＬＥＤランプ
２４１  受信側ボタン
２４２  送信側ボタン
２４３  上方向ボタン
２４４  下方向ボタン
２７１  ステレオイヤフォン部
３７１  ステレオイヤフォン部
４７１  ステレオイヤフォン部
４８１  第１のジャック部
４８２  第２のジャック部
５７１  ステレオイヤフォン部
６７１  ジャック部
６８１  第１の無線通信部
６８２  第２の無線通信部
１０００  音出力システム
１００１  無線接続部
１００２  音情報伝送部
１００３  音出力部
Ｃ１    ケーブル
Ｃ２    ケーブル
【図１】
2014007463.tif 000003
【図２】
2014007463.tif 000004
【図３】
2014007463.tif 000005
【図４】
2014007463.tif 000006
【図５】
2014007463.tif 000007
【図６】
2014007463.tif 000008
【図７】
2014007463.tif 000009
【図８】
2014007463.tif 000010
【図９】
2014007463.tif 000011
【図１０】
2014007463.tif 000012
【図１１】
2014007463.tif 000013
【図１２】
2014007463.tif 000014
【図１３】
2014007463.tif 000015
【図１４】
2014007463.tif 000016